(57)【特許請求の範囲】
【請求項１】
データ依存ジッタ及びデータ依存レベルノイズをデジタルデータ信号に注入するためのフィルタであって、所与のデータ転送速度を有するデジタルデータ信号をフィルタリングするためのフィルタにおいて、前記フィルタが、第１の増減後、前記第１の増減とは逆方向の、最小値または最大値といった実質的極値を示すステップ応答でステップ関数に反応し、これにより、前記ステップ関数に関する実質的極値の発生が前記所与のデータ転送速度の範囲内に実質的に納まることを特徴とするフィルタ。
【請求項２】
前記フィルタが少なくとも２次フィルタであることを特徴とする請求項１に記載のフィルタ。
【請求項３】
前記フィルタが、抵抗値がＲ２の抵抗素子と、誘導率値がＬ１の誘導素子と、キャパシタンス値がＣ１の容量素子とを含むことを特徴とする請求項２に記載のフィルタ。
【請求項４】
前記抵抗値Ｒ２もしくは前記キャパシタンス値Ｃ１またはその両方が、変更可能であることを特徴とする請求項３に記載のフィルタ。
【請求項５】
前記抵抗素子および前記誘導素子および前記容量素子が、直列または並列共振回路として結合されていることを特徴とする請求項３に記載のフィルタ。
【請求項６】
前記抵抗素子と、前記容量素子もしくは前記誘導素子またはその両方である少なくとも２つの素子とが含まれることを特徴とする請求項２に記載のフィルタ。
【請求項７】
２次フィルタの両方のゼロが単位円上に位置していることと、両方のゼロが極よりも虚軸に近いか、あるいは、極が実軸上に位置していることとを特徴とする請求項２に記載のフィルタ。
【請求項８】
データ依存ジッタ及びデータ依存レベルノイズをデジタルデータ信号に注入するためのフィルタであって、所与のデータ転送速度を有するデジタルデータ信号をフィルタリングするためのフィルタにおいて、前記フィルタが、第１の増大後に、実質的最小値を示すステップ応答で増大ステップ関数に反応し、これにより、前記ステップ関数による前記実質的最小値の発生が前記所与のデータ転送速度の範囲内に実質的に納まることを特徴とするフィルタ。
【請求項９】
請求項１乃至請求項８のいずれかに記載のフィルタを用いて所与のデータ転送速度を有するデジタルデータ信号をフィルタリングすることにより、データ依存ジッタ及びデータ依存レベルノイズを前記デジタルデータ信号に注入するフィルタの利用方法。
【請求項１０】
請求項１乃至請求項８のいずれかに記載のフィルタを用いて所与のデータ転送速度を有するデジタルデータ信号をフィルタリングすることにより、データ依存ジッタ及びデータ依存レベルノイズを前記デジタルデータ信号に注入する方法。
【請求項１１】
データ依存ジッタ及びデータ依存レベルノイズをデジタルデータ信号に注入するための方法であって、所与のデータ転送速度を有するデジタルデータ信号をフィルタリングするための方法において、
第１の増減後、前記第１の増減とは逆方向の、最小値または最大値といった実質的極値を示すステップ応答でステップ関数に反応するフィルタに前記ディジタルデータ信号を加えるステップと、
前記ステップ関数に関する実質的極値の発生が前記所与のデータ転送速度の範囲内に実質的に納まるように前記フィルタを調整するステップとを含む方法。
【請求項１２】
コンピュータのようなデータ処理システムに請求項１１に記載の方法を実施させるためのプログラム。
【発明の詳細な説明】
【０００１】
【発明の属する技術分野】
本発明は、ディジタル回路内におけるデータ伝送のテスト、及び、ディジタル回路によるデータ伝送のテストに関するものである。
【０００２】
【従来の技術】
今日の通信装置に組み込まれる高速ＩＯ（入出力）インターフェイスは、テラビット帯域幅に近づいている。この帯域幅の上昇を可能にするアーキテクチャは、毎秒数ギガビットのデータ転送速度で動作し、並列をなす各レーン毎に個別直列データ伝送を実施する並直列変換器／直並列変換器セルの並列構成に基づくものである（ＳｅｒＤｅｓマルチレーン・インターフェイス）。しかし、こうしたインターフェイスの経済的な生産テストは、かなりの難題を課すことになる。計器ベースの解決法は、コストが高くつき、速度が遅く、ＳｅｒＤｅｓの送信部分と受信部分の間の単純なループ・バックを利用するテスト・アプローチでは、データ信号がジッタ及びレベル・ノイズにさらされることによって生じる障害が補償されない。
【０００３】
【発明が解決しようとする課題】
本発明の目的は、例えば、高速入出力インターフェイスが組み込まれたコスト効率のよいテスト装置のテスト方法を提供することにある。
【０００４】
【課題を解決するための手段】
この目的は、独立クレームによって解決される。望ましい実施態様は、従属クレームによって示されている。
【０００５】
【発明の実施の形態】
本発明は、受動コンポーネントまたは装置の影響下において、データ信号１にジッタが注入されることになるという（図１の上方部分）、従って、受動線形フィルタによってデータ依存ジッタが注入されることを表した発見に基づくものである。次に、高次フィルタ（すなわち、少なくとも２次フィルタ）に関する、ジッタ注入の影響について詳述することにする。しかし、ジッタ注入の影響が、１次フィルタに関して既に発生しているのは明らかであるが、比べると制御し難く、とりわけ、データ信号１のデータ転送速度に対する作用の調整に適さないのは明白である。また、非線形または能動フィルタといった他のフィルタ・タイプを然るべく利用することも可能であるが、その有用性が低周波用途だけに制限される可能性がある。
【０００６】
図１の下方部分に示す望ましい実施態様の場合、フィルタ２０（図７及び８のフィルタ２０の望ましい実施態様を参照されたい）は、有限立ち上がり時間を有するステップ信号に対してステップ応答２で反応する。ステップ応答２は、次の特性を示す：負の主ピークＤがデータ信号１の初期立ち上がりエッジＢに後続する。負の主ピークＤの相対的最小値Ｃの発生は、データ信号１のビット間隔時間Ａとほぼ一致するように調整するのが望ましい。相対的最小値Ｃは、その定常状態における振幅またはステップ応答２に対する△Ｖの振幅降下を示す。負の主ピークＤの後、より小さい振幅のリップルまたは振動Ｅが後続する可能性があるが、本発明にとって重要ではない。
【０００７】
フィルタ・ステップ応答２によって、後続ステップ応答が重畳するため、データ信号１にジッタが注入される。データ信号１における個別ディジタル・ビットを表す正または負のステップによって、重畳ステップ応答が生じる。ジッタは、ジッタ注入フィルタから出力されるデータ信号のビット値を評価する判定回路の論理しきい値において誘導される。
【０００８】
図２ａからｆには、逆極性の後続ステップ応答の重畳を利用して、ジッタを誘導する方法の概略が示されている。より明確な理解が得られるように、負の主ピークＤとビット間隔時間Ａを一致させて、相対最小値Ｃがビット間隔時間Ａの後で生じるようにする。従って、△Ｖの全振幅降下をジッタ注入に利用することが可能である。ビット間隔時間Ａから相対的最小値Ｃが変化すると、やはり、ジッタが注入されることになるが、△Ｖの振幅降下の可能性のある全範囲を利用することはない。
【０００９】
図２ａには、ビットｎに関連した正のステップに対するステップ応答Ｎの概略が示されている。負の主ピークＤによって相対的最小値Ｃが生じる。図２ｂには、ビットｎより１ビット後の間隔時間△ｔ（データ信号１のデータ転送速度Ａに対応する）に生じる、逆の論理値の後続ビットｎ＋１に関連した負のステップに対するステップ応答Ｎ＋１が示されている。図２ｃには、両ステップ応答Ｎ及びＮ＋１の重畳が示されている。ステップ応答Ｎの相対的最小値がＣのピークと、負のステップＮ＋１の立ち下がりエッジは、結果得られる信号の立ち下がりエッジが、しきい値Ｔとの交差時にちょうど負の主ピークＤのサイズ△Ｖだけ低い振幅に変位するように重畳されることになる。データ信号１のエッジの遷移時間が制限されているため、振幅変位△Ｖは、時間変位△Ｊに変換される。変位△Ｊは、所望のしきい値交差時間に対する時間オフセットに相当する。
【００１０】
ビットｎの正のステップＮに、同じ値の多くのビットが後続した後、逆の値のビットによって、負のステップが生じる場合（図２ｄからｆに示すように）、時間オフセットは生じない。この場合、ビットｎのステップ応答Ｎは、負のステップが生じる前に、その最終値に整定することが可能である。図２ｄには、やはり（図２ａと同様）、負の主ピークとその相対的最小値Ｃを備えた、ｎビットの正のステップＮが示されている。図２ｅには、ビットｎよりＫビット遅れて生じる、その間にビット値の変化がない、負のステップｎ＋ｋに対するステップ応答Ｎ＋Ｋが示されている。図２ｆには、両ステップ応答ＮとＮ＋Ｋの重畳が示されている。先行ビットｎのステップ応答Ｎは、その時点において負のステップＮ＋Ｋの立ち下がりエッジを変位させない。従って、結果得られる立ち下がりエッジは、予測ビット時間にしきい値Ｔと交差する。
【００１１】
ランダム内容を備えた実データ信号の場合、同じ値を有するビットのラン・レングスが、変動するので、図２ａからｃに解説の事例（ビット値の高速トグリング、短いラン・レングス）と図２ｄから２ｆに解説の事例（ビット値の低速トグリング、長いラン・レングス）の２つの極値の間に重畳が生じる。従って、ステップ応答の部分的整定だけしか可能にしないラン・レングスは、時間オフセットが△Ｊ未満の中間事例を表している。
【００１２】
そのサイズが△Ｖの負のピーク（Ｄ）が発生する結果、注入ジッタの最大振幅△Ｊが生じることになる。後述するように、これは、制御量のレベル・ノイズも同時に注入されて、結果生じる信号のいわゆるデータ・アイ（図３ａからｂを参照されたい）が、極めて制御されたやり方で、水平方向だけではなく、垂直方向にも閉じるということを表している。
【００１３】
図３ａからｂには、いわゆるアイ・ダイヤグラム表現を利用して、本発明の注入メカニズムの結果が例示されている。データ・アイ・ダイヤグラムは、データ系列（データ信号１のような）におけるいくつかの（できれば全ての）ビットによって生じるいくつかの（できれば全ての）ステップ応答のオーバレイによって導き出される。アイ・ダイヤグラムは、当該技術において周知のところであり、本明細書ではこれ以上の詳述は不要である。
【００１４】
図３ａには、フィルタリングを施されていないデータ信号に関する典型的な略アイ・ダイヤグラムが描かれている。図３ａのアイ・ダイヤグラムには、ビットの論理値を間違いなく求めることが可能な、大きく開いた内部アイ領域Ｆ１が示されている。図３ｂには、上述のところに従って、フィルタでフィルタリングを施されたデータ信号に関する略アイ・ダイヤグラムが示されている。図３ｂのアイ・ダイヤグラムには、ビットの論理値を間違いなく求めることが可能な、大幅に縮小された内部アイ領域Ｆ２が示されている。この内部領域は、負の主ピーク・サイズ△Ｖのパラメータによって正確に制御することが可能である。
【００１５】
内部アイＦ２の境界は、注入ジッタ△Ｊによって左右が制限される。もう１つの重要な効果は、負の主ピークＤのサイズ△Ｖに相当するレベル・ノイズが注入されるということである（図３ｂを参照されたい）。これは、各正のステップによって相対的最小値Ｃが発生する結果である。同じ値のより多くのビットが後続する（すなわち、データ転送速度△ｔのビット）場合、それによって内部アイの上方境界がそのレベル△Ｖで閉じることになる。同じことが負のステップにもあてはまり、内部アイの下方境界も△Ｖで閉じることになる。従って、内部アイ領域は、やはり、極めて制御されたやり方で垂直方向に閉じられる。
【００１６】
望ましい実施態様のジッタ注入フィルタは、２次フィルタである。従って、ジッタ注入フィルタは、例えば、経済的理由から、できるだけフィルタの複雑性を抑え、技術的に実施及び制御しやすいようにして得ることが可能である。ジッタ注入フィルタ合成は、下記のように周波数領域における２次システムの記述から演繹される：
【００１７】
【数１】
0004208046.tif 000002
【００１８】
この公式において、ｚ１及びｚ２はゼロ点を表し、ｐ１及びｐ２は極を表している。定数α及びβによって、正規化された複素周波数領域における単位円上にＯで表示されるゼロ点、及び、Ｘで表示される極の位置が視覚化される（図４ａ）。ゼロと２の間で定数αを変化させると、共役極及びゼロ点が生じ、極ｐ１がポイントＳ＝０＋ｉ１（Ｒ）からポイントＳ＝−１＋ｉ０（Ｑ）に移動し、極ｐ２がポイントＳ＝０−ｉ１（Ｔ）からポイントＳ＝−１＋ｉ０（Ｑ）に移動する。同じことが、βをゼロから２に変化させると、ゼロ点ｚ１及びｚ２にもあてはまる。
【００１９】
図４ｂには、極ゼロ点のもう１つの重要な事例が示されている。定数βを２と正の無限大の間で変化させると、両極が、実軸上に位置し、極ｐ１がポイントＱから原点０＋ｉ０に向かって移動し、極ｐ２が実軸から負の無限大−∝＋ｉ０に向かって移動する。
【００２０】
２次フィルタの望ましい実施態様は、両方のゼロ点が単位円上に位置し、極よりも虚軸に近い場合（図４ａ）、または、ゼロ点が単位円上に位置するが、極が実軸上にある場合（図４ｂ）に得られる。この望ましい実施態様の場合、極とゼロ点の位置は、水平及び垂直におけるアイの閉鎖を調整し、特定のデータ転送速度に適応可能にするため、故意に、制御下におかれる。
【００２１】
図４ａに示す極ゼロ点構成の結果として、望ましい２次フィルタが、データ信号におけるステップ関数に、図５ａに示すステップ応答で反応する。図４ｂに示す極ゼロ点構成の結果として、データ信号におけるステップ関数に、図５ｂに示すステップ応答で反応する。両事例とも、図１に解説の初期立ち上がりエッジＢ後に相対的最小値Ｃを伴う負の主ピークＤを得る基準が満たされる。２つの共役複素極の場合、振動が減衰する結果、図５ａに示すように、定常状態に達する前にいくつかの最小値及び最大値が生じることになる。最小値Ｃを備えた第１の負の主ピークＤは、振動ステップ応答の場合、振幅縮小の重要なピークである。２つの実極の場合、それは、図５ｂに示すように、漸近的に定常状態に近づく前に単一最小値Ｃが生じる短期振幅縮小（ピーク）である。それは、実軸上における極の異なる位置から生じる２つの重畳指数関数の結果である。
【００２２】
図６には、周波数領域におけるフィルタの望ましい実施態様の極ゼロ点構成の結果が示されている。それには、振幅特性（Ｕ）における帯域除去またはノッチ・フィルタの働き、及び、群遅延特性（Ｖ）における強い不連続性が示されている。極とゼロ点を互いに近づけると（αとβの差を小さくする）、除去帯域内の減衰が小さくなり、ステップ応答における負の最小値（Ｃ）が小さい、弱い負のピーク（Ｄ）に相当する群遅延の小さい不連続性が生じることになる。αとβの差が広がると、除去帯域における減衰が大きくなり、ステップ応答における負の最小値（Ｃ）が大きい、強い負のピーク（Ｄ）に相当する群遅延の大きい不連続性が生じることになる。
【００２３】
極を虚軸に近づけると、図５ａにおけるように、振動がわずかに減衰することになる。しかし、ゼロ点を極よりも虚軸に近づける必要があるので、極を虚軸に向かって移動させると、やはり、極ゼロ点の差が縮小され、従って、負の主ピーク（Ｄ）のピーク・サイズが小さくなる。単位円上において極を実軸に向かって移動させると、振動の減衰が増大する。極・ゼロの間隔は、さらに広がる可能性があるので、通過帯域における減衰も増大し、その結果、負のピーク（Ｄ）が大きくなる可能性がある。最後に、実軸上において極を移動させると、指数関数からの振動を生じることなく、負の主ピークを生じることになる。この場合、極ゼロ点間隔がさらに拡大する可能性があり、その結果、ベースラインにほとんど触れる可能性のある相対的最小値（Ｃ）が生じることになる。しかし、相対的最小値（Ｃ）が定常状態のステップ振幅値の１／２に達した時点において、既に垂直方向における完全なアイの閉鎖に達しているので、この事例は、実際にはそれほど重要ではない。
【００２４】
減衰帯域における特性周波数の位置（減衰最大値の位置）は、共役複素ゼロ点ｚ１の実数部によって得られる。この特性周波数によって、時間軸上における相対的最小値（Ｃ）の位置が決まり、従って、特定のデータ転送速度のビット間隔時間に対する適応が可能になる。
【００２５】
図７には、データ依存ジッタ及びレベル・ノイズを注入するための本発明によるフィルタ構造を備えた、フィルタ構成２０の実施態様が示されている。図７の例の場合、フィルタ構造２０は、ノードＡとＢの間において、データ送信端末４０からデータ受信端末５０にデータ信号を搬送する伝送ライン３０に挿入される。データ送信端末４０、データ受信端末５０、及び、伝送ライン３０は、シングル・エンドあるいは差動式にすることが可能である。完全を期すため、信号源インピーダンス６０Ａ及び６０Ｂが示されている。
【００２６】
図８には、単一の直列２次共振回路から構成されるフィルタ構造２０の望ましい実施態様が示されている。共振回路には、抵抗値がＲ２の抵抗素子２１０、誘導率値がＬ１の誘導素子２２０、及び、容量値がＣ１の容量素子２３０が含まれている。図８の例の場合、抵抗素子２１０の抵抗作用Ｒ２及び容量素子２３０の容量作用Ｃ１は変更可能である。
【００２７】
抵抗、誘導、及び、容量素子２１０から２３０は、任意の順序、及び、さまざまなやり方で実施することが可能である、例えば、容量素子２３０は、バラクタ・ダイオードとして実施可能であり、抵抗素子２１０は、ＦＥＴとして実施可能である。
【００２８】
図８に解説の構成の場合、定数αは下記によって得られる：
【数２】
0004208046.tif 000003
また、定数βは、下記によって得られる：
【数３】
0004208046.tif 000004
この望ましい実施態様の場合、負の主ピーク（Ｄ）の重要なサイズ（Ｃ）は、定数αとβの差で表される極ゼロ点間隔によって、従って、抵抗素子の値Ｒ２（２１０）を変更することによって制御される。これによって、データ・アイの水平及び垂直方向における閉鎖を（注入されるジッタとレベル・ノイズの量）として制御することが可能になる。特性周波数は、下記によって得られる：
【数４】
0004208046.tif 000005
従って、容量素子（２３０）の値Ｃ１を変更することによって、ある特定のデータ転送速度のビット間隔時間に直接適応することが可能になる。
【００２９】
図９から１１には、図７及び８に解説の望ましい実施態様の働きが示されている。所望のアイ閉鎖に基づく相対的最小値を生じ、時間位置が特定のデータ転送速度のビット間隔時間に一致する単一ステップ応答のステップ応答は、図５ｂに対応する。図９には、短いラン・レングス状況（ラン・レングス１）が示されており、図１０には長いラン・レングス状況（ラン・レングス１２）が示されている。図１１には、本発明によるフィルタに関する実際の測定から結果として得られたデータ・アイが描かれている。
【００３０】
ピーク・ジッタ△Ｊは、データ信号の立ち上がり／立ち下がり時間ｔｒ／ｆに基づいて計算することが可能である。立ち上がり／立ち下がり時間が無限のステップの代わりに、制限された立ち上がり／立ち下がり時間を導入することによって、負の主ピークのサイズ△Ｖがあまり変化しなくなる：
【数５】
0004208046.tif 000006
容量素子の値Ｃ１を変更することによって、繰り返しプロセスにおいて、フィルタ２０を必要な大きさにし、相対的最小値Ｃの位置△ｔｍｉｎが特定のデータ転送速度のビット間隔時間△ｔに整合するようすることが可能である。次のステップでは、相対的最小値の位置における負の主ピークＤのサイズ△Ｖを調整して、所望の値のピーク・ジッタ△Ｊ（立ち上がり／立ち下がり時間ｔｒ／ｆを考慮した）、及び、適正な水平及び垂直方向のアイ閉鎖が生じるようにすることが可能である。
【００３１】
言うまでもなく、図８の直列構成は、例えば、開放ノードＡまたはＢの端部間に直列に結合された同等の共振回路に置き換えることが可能である。
【００３２】
従って、ループ・バック経路、または、例えば、高速ピン・カードの刺激経路にフィルタ２０を加えると、制御された量のジッタ及びレベル・ノイズを注入することによって、正確にアイ閉鎖を生じさせることが可能になる。これは、最低コストにおけるテストの難題を解決する助けになる。注入されるジッタ及びレベル・ノイズから生じる水平及び垂直方向のアイ閉鎖は、可変にすることが可能であり、フィルタは、さまざまなデータ転送速度に適応することが可能である。
【００３３】
本発明が、任意の種類のデータ・キャリアに記憶するか、または、任意の種類のデータ・キャリアによって別様に得ることが可能な、及び、任意の適合するデータ処理装置内で、または、任意の適合するデータ処理装置によって実行することが可能な、１つ以上の適合するソフトウェア・プログラムによって部分的にまたは完全に具現化することが可能である。すなわち、ソフトウェア・ツールを用いて、フィルタ要素及び特性を計算するか、または、フィルタ作用をシミュレートすることが可能である。
【００３４】
以上の説明及び添付の図面から、当該技術者には本発明に対するさまざまな修正が明らかになるであろう。従って、本発明は、付属の特許請求の範囲によってのみ制限されるものとする。しかしながら、本発明の広汎な応用の可能性に鑑み、以下に本発明の実施態様を幾つか例示する。
【００３５】
（実施態様１）ある特定のデータ転送速度（Ａ）でデータ信号（１）にデータ依存ジッタ及びレベル・ノイズを注入するためのフィルタ（２０）であって、前記フィルタ（２０）が、第１の増／減（Ｂ）後、前記第１の増／減とは逆方向の、最小値または最大値といった実質的極値（Ｃ）を示すステップ応答（２）にステップ関数で反応し、これによって、前記ステップ関数に関する実質的極値（Ｃ）の時相発生が、前記特定のデータ転送速度（Ａ）のほぼ範囲内に納まることを特徴とする、
フィルタ（２０）。
【００３６】
（実施態様２）前記フィルタ（２０）が少なくとも２次フィルタであることを特徴とする、実施態様１に記載のフィルタ（２０）。
【００３７】
（実施態様３）前記フィルタ（２０）に、抵抗値がＲ２の抵抗素子（２１０）、誘導率値がＬ１の誘導素子（２２０）、及び、キャパシタンス値がＣ１の容量素子（２３０）が含まれることを特徴とする、実施態様２に記載のフィルタ（２０）。
【００３８】
（実施態様４）前記抵抗値Ｒ２及び／またはキャパシタンス値Ｃ１が変更可能であることを特徴とする、実施態様３に記載のフィルタ（２０）。
【００３９】
（実施態様５）前記抵抗素子（２１０）、前記誘導素子（２２０）、及び、前記容量素子（２３０）が、直列または並列共振回路として結合されていることを特徴とする、実施態様３に記載のフィルタ（２０）。
【００４０】
（実施態様６）抵抗素子（２１０）、及び、容量作用（２３０）及び／または誘導作用（２２０）の少なくとも２つの素子が含まれることを特徴とする、実施態様２に記載のフィルタ（２０）。
【００４１】
（実施態様７）２次フィルタ（２０）の両方のゼロが単位円上に位置していることと、両方のゼロが、極よりも虚軸に近いか、あるいは、極が実軸上に位置していることを特徴とする、実施態様２に記載のフィルタ（２０）。
【００４２】
（実施態様８）ある特定のデータ転送速度でデジタル・データ信号にデータ依存及びレベル・ノイズを注入するためのジッタ注入フィルタ（２０）であって、前記フィルタ（２０）が、第１の増大後に、少なくとも１つの実質的最小値を示すステップ応答に増大ステップ関数で反応し、これによって、前記ステップ関数による前記少なくとも１つの実質的最小値の時相発生が、前記特定のデータ転送速度（Ａ）のほぼ範囲内に納まることを特徴とする、
フィルタ（２０）。
【００４３】
（実施態様９）ある特定のデータ転送速度でデジタル・データ信号にデータ依存及びレベル・ノイズを注入するための、上述の実施態様の任意の１つに記載のフィルタ（２０）の利用。
【００４４】
（実施態様１０）ある特定のデータ転送速度（Ａ）で、上述の実施態様１から８の任意の１つに記載のフィルタ（２０）を利用して、デジタル・データ信号（１）にデータ依存ジッタ及びレベル・ノイズを注入するための方法。
【００４５】
（実施態様１１）ある特定のデータ転送速度（Ａ）で、デジタル・データ信号（１）にデータ依存ジッタ及びレベル・ノイズを注入するための方法であって、
（ａ）第１の増／減（Ｂ）後、前記第１の増／減とは逆方向の、最小値または最大値といった実質的極値（Ｃ）を示すステップ応答（２）にステップ関数で反応するフィルタ（２０）に前記で次たる信号（１）を加えるステップと、
（ｂ）前記ステップ関数に関する実質的極値（Ｃ）の時相発生が、前記特定のデータ転送速度（Ａ）のほぼ範囲内に納まるように、前記フィルタ（２０）を調整するステップが含まれている、
方法。
【００４６】
（実施態様１２）コンピュータのようなデータ処理システムにおける実行時に、実施態様１１の方法を実行するための、データ・キャリアに記憶されるのが望ましいソフトウェア・プログラムまたは製品。
【図面の簡単な説明】
【図１】  本発明によるジッタ注入の原理を例示した図である。
【図２ａ】  本発明によるジッタ注入の原理を例示した図である。
【図２ｂ】  本発明によるジッタ注入の原理を例示した図である。
【図２ｃ】  本発明によるジッタ注入の原理を例示した図である。
【図２ｄ】  本発明によるジッタ注入の原理を例示した図である。
【図２ｅ】  本発明によるジッタ注入の原理を例示した図である。
【図２ｆ】  本発明によるジッタ注入の原理を例示した図である。
【図３ａ】  本発明によるジッタ注入の原理を例示した図である。
【図３ｂ】  本発明によるジッタ注入の原理を例示した図である。
【図４ａ】  本発明によるジッタ注入の原理を例示した図である。
【図４ｂ】  本発明によるジッタ注入の原理を例示した図である。
【図５ａ】  本発明によるジッタ注入の原理を例示した図である。
【図５ｂ】  本発明によるジッタ注入の原理を例示した図である。
【図６】  本発明によるジッタ注入の原理を例示した図である。
【図７】  本発明のジッタ注入フィルタリングに関する適用例を示す図である。
【図８】  ジッタ注入フィルタに関する望ましい実施態様を示す図である。
【図９】  図８のフィルタの作用を例示した図である。
【図１０】  図８のフィルタの作用を例示した図である。
【図１１】  図８のフィルタの作用を例示した図である。
【符号の説明】
２０  フィルタ
２１０  抵抗素子
２２０  誘導素子
２３０  容量素子
【図１】
0004208046.tif 000007
【図２ａ】
0004208046.tif 000008
【図２ｂ】
0004208046.tif 000009
【図２ｃ】
0004208046.tif 000010
【図２ｄ】
0004208046.tif 000011
【図２ｅ】
0004208046.tif 000012
【図２ｆ】
0004208046.tif 000013
【図３ａ】
0004208046.tif 000014
【図３ｂ】
0004208046.tif 000015
【図４ａ】
0004208046.tif 000016
【図４ｂ】
0004208046.tif 000017
【図５ａ】
0004208046.tif 000018
【図５ｂ】
0004208046.tif 000019
【図６】
0004208046.tif 000020
【図７】
0004208046.tif 000021
【図８】
0004208046.tif 000022
【図９】
0004208046.tif 000023
【図１０】
0004208046.tif 000024
【図１１】
0004208046.tif 000025